(57)【要約】【課題】ロープの伸びに応じてカウンタークリアランスの寸法を調整する際に、無駄な部材が生じることなく経済的に調整でき、またその調整幅を細かく微調整してカウンタークリアランスの管理精度を高めることができるエレベータのロープ伸び調整装置を提供する。【解決手段】つり合い重り１とバッファ１２との間に確保するカウンタークリアランスａをロープ４の伸びに応じて調整するエレベータのロープ伸び調整装置において、つり合い重り１の下面に取り付けられた一対のボルト２０と、これらボルト２０に螺着されたナット２３と、これらナット２３で支持されてボルト２０間にバッファ１２と対向するように水平に架設された調整プレート２１とを具備し、ナット２３をボルト２０に対して螺進退させることにより調整プレート２１を上下方向に移動してカウンタークリアランスａを所定の寸法に調整することが可能となっている。【選択図】    図１
2008044723.tif 000002
【特許請求の範囲】
【請求項１】
昇降路内にロープで吊り下げられるつり合い重りと、昇降路のピット部の床面側に設置されるバッファとの間に確保されるカウンタークリアランスを前記ロープの伸びに応じて調整するエレベータのロープ伸び調整装置において、
上下方向に移動調整が可能な調整プレートを有する調整機構を備え、この調整機構の調整プレートを上下方向に移動して前記カウンタークリアランスを前記ロープの伸びに応じる所定の寸法に調整することが可能となっていることを特徴とするエレベータのロープ伸び調整装置。
【請求項２】
前記調整機構は、前記つり合い重りの下面にその下方に突出するように取り付けられた一対のボルトと、これらボルトに螺着されたナットと、これらナットで支持されて前記ボルト間に前記バッファと対向するように水平に架設された調整プレートとを具備し、前記ナットを前記ボルトに対して螺進退させることにより前記調整プレートを上下方向に移動して前記カウンタークリアランスを所定の寸法に調整することが可能なことを特徴とする請求項１に記載のエレベータのロープ伸び調整装置。
【請求項３】
前記ボルトとバッファは、これらを平面の投影面で見たときに互いに重ならない位置に配置されていることを特徴とする請求項２に記載のエレベータのロープ伸び調整装置。
【請求項４】
前記調整機構は、前記つり合い重りの下面にその下方に突出するように相対向して設けられた一対のブラケットと、これらブラケットに上下方向に並んで形成された複数の貫通孔と、前記一対のブラケット間に前記バッファと対向するように水平に配置され、前記貫通孔を通して差し込まれた止めねじを介してそのブラケットに支持された調整プレートとを具備し、前記止めねじを差し込む貫通孔を選ぶことにより前記調整プレートの上下方向の位置を変えて前記カウンタークリアランスを所定の寸法に調整することが可能なことを特徴とする請求項１に記載のエレベータのロープ伸び調整装置。
【請求項５】
前記ブラケットとバッファは、これらを平面の投影面で見たときに互いに重ならない位置に配置されていることを特徴とする請求項４に記載のエレベータのロープ伸び調整装置。
【請求項６】
前記調整機構は、前記ピット部の床面にその上方に起立するように取り付けられた一対のボルトと、これらボルトに螺着されたナットと、これらナットで支持されて前記ボルト間に水平に架設された調整プレートとを具備し、前記調整プレートの上に前記つり合い重りの下面と対向してバッファが設けられ、前記ナットを前記ボルトに対して螺進退させることにより前記調整プレートを上下方向に移動して前記カウンタークリアランスを所定の寸法に調整することが可能なことを特徴とする請求項１に記載のエレベータのロープ伸び調整装置。
【請求項７】
前記ボルトとつり合い重りは、これらを平面の投影面で見たときに互いに重ならない位置に配置されていることを特徴とする請求項６に記載のエレベータのロープ伸び調整装置。
【請求項８】
前記調整機構は、前記ピット部の床面にその上方に突出するように相対向して設けられた一対のブラケットと、これらブラケットに上下方向に並んで形成された複数の貫通孔と、前記一対のブラケット間に水平に配置され、前記貫通孔を通して差し込まれた止めねじを介してそのブラケットに支持された調整プレートとを具備し、前記調整プレートの上に前記つり合い重りの下面と対向してバッファが設けられ、前記止めねじを差し込む貫通孔を選ぶことにより前記調整プレートの上下方向の位置を変えることで前記カウンタークリアランスを所定の寸法に調整することが可能なことを特徴とする請求項１に記載のエレベータのロープ伸び調整装置。
【請求項９】
前記ブラケットとつり合い重りは、これらを平面の投影面で見たときに互いに重ならない位置に配置されていることを特徴とする請求項８に記載のエレベータのロープ伸び調整装置。
【発明の詳細な説明】
【技術分野】
【０００１】
この発明は、昇降路内にロープで吊り下げられたつり合い重りと、昇降路のピット部のバッファとの間に確保するカウンタークリアランスを前記ロープの伸びに応じて調整するために操作されるエレベータのロープ伸び調整装置に関する。
【背景技術】
【０００２】
ロープ式のエレベータは、巻上機に巻き掛けられたロープを介して乗りかご及びつり合い重りが昇降路内に吊り下げられ、その巻上機によりロープが駆動されて乗りかご及びつり合い重りが昇降路内で昇降する。
【０００３】
昇降路のピット部には、つり合い重りの異常落下時にそのつり合い重りと衝突して衝撃を緩和する緩衝装置が設けられている。この緩衝装置の構成を図７に示してある。つり合い重り１は、重り枠２と、この重り枠２の内側に上下に重ねて搭載された複数枚のウエイト３とで構成され、重り枠２の上部に複数本のロープ４が連結され、これらロープ４を介して釣合い重り１が昇降路５内に吊り下げられている。そしてこのつり合い重り１が一対のガイドレール６に沿って上下に移動する。
【０００４】
昇降路の最下部のピット部１０の床面にはバッファ台１１が据え付けられ、このバッファ台１１の上につり合い重り１の異常落下時の衝撃を緩和するためのコイルばねからなるバッファ１２が設置されている。  
通常の運転時には、つり合い重り１とバッファ１２との間には所定寸法のカウンタークリアランスａが確保され、この状態でつり合い重り１が昇降する。
【０００５】
ところで、つり合い重り１を吊り下げたロープ４には経年変化で伸びが生じる。そしてこの伸びでカウンタークリアランスａが徐々に小さくなる。このためつり合い重り１にはロープ４の伸びに応じてカウンタークリアランスａを調整するための調整装置が設けられている。
【０００６】
従来の調整装置は、図７に示すように、つり合い重り１の下面に複数のスペーサ１３を上下に重なるようにそれぞれボルト１４を介して脱着可能に取り付けてなる。スペーサ１３はバッファ１２と対向するようにつり合い重り１に取り付けられており、つり合い重り１の異常落下時にこのスペーサ１３を介してつり合い重り１がバッファ１２に衝突する。  通常の運転時には、つり合い重り１のスペーサ１３とバッファ１２との間に所定寸法のカウンタークリアランスａが確保され、この状態でつり合い重り１が昇降する。
【０００７】
経年変化でロープ４に伸びが生じ、カウンタークリアランスａが所定寸法より小さくなったときには、つり合い重り１に取り付けられているスペーサ１３の幾つかを取り外し、カウンタークリアランスａが所定の寸法となるように調整される。
【０００８】
このようなスペーサ１３を用いる調整装置は、特開平８−４０６６４号公報に開示されている。また、この特開平８−４０６６４号公報にはスペーサ１３をバッファ１２に取り付けることも開示されている。
【特許文献１】特開平８−４０６６４号公報
【発明の開示】
【発明が解決しようとする課題】
【０００９】
ところが、スペーサ１３を用いる従来の調整装置においては、ロープ４の伸びに応じてカウンタークリアランスａを調整する際にスペーサ１３を取り外さなければならない。そして、その取り外したスペーサ１３はその後不要な部材となる。したがって部材の無駄が生じ、経済的な損失を招いてしまう。また、スペーサの１個当りの高さ寸法を下回る範囲での微調整ができず、大まかな調整しかできない。
【００１０】
ところで、ロープ４の伸びに対応する手段として、ロープ４の端末を所要長さだけ切断して切詰める方法がある。しかし、ロープ４の両端末に据え込み式金具が取り付けられ、ロープ４の切詰めができないタイプの場合があり、このような場合にはロープ４の伸びに対するカウンタークリアランスａの調整可能範囲を増すために前記スペーサ１３の個数を増やさなければならず、その分コストがより増大してしまう。
【００１１】
この発明はこのような点に着目してなされたもので、その目的とするところは、ロープの伸びに応じてカウンタークリアランスの寸法を調整する際に、無駄な部材が生じることなく経済的に調整でき、またその調整幅を細かく微調整してカウンタークリアランスの管理精度を高めることができるエレベータのロープ伸び調整装置を提供することにある。
【課題を解決するための手段】
【００１２】
請求項１の発明は、昇降路内にロープで吊り下げらるたつり合い重りと、昇降路のピット部の床面側に設置されるバッファとの間に確保されるカウンタークリアランスを前記ロープの伸びに応じて調整するエレベータのロープ伸び調整装置において、上下方向に移動調整が可能な調整プレートを有する調整機構を備え、この調整機構の調整プレートを上下方向に移動して前記カウンタークリアランスを前記ロープの伸びに応じる所定の寸法に調整することが可能となっていることを特徴としている。
【００１３】
請求項２の発明は、前記調整機構が、前記つり合い重りの下面にその下方に突出するように取り付けられた一対のボルトと、これらボルトに螺着されたナットと、これらナットで支持されて前記ボルト間に前記バッファと対向するように水平に架設された調整プレートとを具備し、前記ナットを前記ボルトに対して螺進退させることにより前記調整プレートを上下方向に移動して前記カウンタークリアランスを所定の寸法に調整することが可能となっていることを特徴としている。
【００１４】
請求項３の発明は、前記ボルトとバッファが、これらを平面の投影面で見たときに互いに重ならない位置に配置されていることを特徴としている。
【００１５】
請求項４の発明は、前記調整機構が、前記つり合い重りの下面にその下方に突出するように相対向して設けられた一対のブラケットと、これらブラケットに上下方向に並んで形成された複数の貫通孔と、前記一対のブラケット間に前記バッファと対向するように水平に配置され、前記貫通孔を通して差し込まれた止めねじを介してそのブラケットに支持された調整プレートとを具備し、前記止めねじを差し込む貫通孔を選ぶことにより前記調整プレートの上下方向の位置を変えて前記カウンタークリアランスを所定の寸法に調整することが可能となっていることを特徴としている。
【００１６】
請求項５の発明は、前記ブラケットとバッファが、これらを平面の投影面で見たときに互いに重ならない位置に配置されていることを特徴としている。
【００１７】
請求項６の発明は、前記調整機構が、前記ピット部の床面にその上方に起立するように取り付けられた一対のボルトと、これらボルトに螺着されたナットと、これらナットで支持されて前記ボルト間に水平に架設された調整プレートとを具備し、前記調整プレートの上に前記つり合い重りの下面と対向してバッファが設けられ、前記ナットを前記ボルトに対して螺進退させることにより前記調整プレートを上下方向に移動して前記カウンタークリアランスを所定の寸法に調整することが可能となっていることを特徴としている。
【００１８】
請求項７の発明は、前記ボルトとつり合い重りが、これらを平面の投影面で見たときに互いに重ならない位置に配置されていることを特徴としている。
【００１９】
請求項８の発明は、前記調整機構が、前記ピット部の床面にその上方に突出するように相対向して設けられた一対のブラケットと、これらブラケットに上下方向に並んで形成された複数の貫通孔と、前記一対のブラケット間に水平に配置され、前記貫通孔を通して差し込まれた止めねじを介してそのブラケットに支持された調整プレートとを具備し、前記調整プレートの上に前記つり合い重りの下面と対向してバッファが設けられ、前記止めねじを差し込む貫通孔を選ぶことにより前記調整プレートの上下方向の位置を変えることで前記カウンタークリアランスを所定の寸法に調整することが可能となっていることを特徴としている。
【００２０】
請求項９の発明は、前記ブラケットとつり合い重りが、これらを平面の投影面で見たときに互いに重ならない位置に配置されていることを特徴としている。
【発明の効果】
【００２１】
この発明によれば、ロープの伸びに応じてカウンタークリアランスの寸法を調整する際に、無駄な部材が生じることなく経済的に調整でき、またその調整幅を細かく微調整してカウンタークリアランスの管理精度を高めることができる。
【発明を実施するための最良の形態】
【００２２】
以下、この発明の実施形態について図１乃至図６を参照して説明する。なお、図７に示す従来の構成と対応する部分には同一の符号を付して重複する説明を省略する。
【００２３】
図１及び図２にはこの発明の第１の実施形態を示してある。図１はロープ伸び調整装置の全体の正面図で、図２は図１中のＡ−Ａ線に沿う断面図である。この実施形態では、つり合い重り１における重り枠２の下面に調整機構を構成する一対のボルト２０が取り付けられている。これらボルト２０はその全長区間にねじが形成されたいわゆる全ねじボルトであり、重り枠２の下面からその下方に垂直に突出するように取り付けられている。
【００２４】
これらボルト２０間には調整プレート２１がバッファ１２と対向するように水平に架設されている。すなわち、図２に示すように、各ボルト２０が調整プレート２１に形成された貫通孔２２を貫通し、また各ボルト２０の調整プレート２１の上下面側においてそれぞれ締付け用のナット２３が螺着され、これらナット２３により調整プレート２１が締付けられて所定の位置に水平に支持されている。各ナット２３は、その緩みを防止するためにそれぞれいわゆるダブルナットとなっている。
【００２５】
各ボルト２０とバッファ１２はこれらを平面の投影面で見たときに、各ボルト２０がバッファ１２と重ならない位置に配置されている。また、調整プレート２１の初期位置としては、重り枠２の下面から大きく離れるボルト２０の下端部の位置とすることが好ましい。
【００２６】
このような構成において、つり合い重り１が異常落下したときには調整プレート２１がバッファ１２に衝突する。この衝突でバッファ１２が弾性的に変形してその衝撃が吸収される。調整プレート２１がバッファ１２に衝突する際には、ボルト２０の下端がバッファ１２の上面の位置より下方に突出するが、ボルト２０とバッファ１２は平面的にその位置がずれているからボルト２０がバッファ１２と干渉することはない。
一方、経年変化によりロープ４が伸び、カウンタークリアランスａが規定の寸法より小さくなったときには、まず各ボルト２０に螺着されているナット２３を緩める。これにより調整プレート２１の上下方向に移動が可能となる。
次に、調整プレート２１をボルト２０に沿ってカウンタークリアランスａが所定の寸法となる位置にまで上昇させるとともにナット２３を螺進退させ、そのナット２３で調整プレート２１を締め付けて固定する。
【００２７】
このような操作をロープ４に所定以上の伸びが生じるごとに行なう。これにより、調整プレート２１とバッファ１２との間のカウンタークリアランスａをロープ４の伸びに拘わらず、所定の寸法範囲に保つことができる。
【００２８】
カウンタークリアランスａの寸法調整は、ボルト２０に螺着されたナット２３を螺進退させて行なうものであるから、ほぼ無段階に微調整することができる。したがって、カウンタークリアランスａを管理する精度を高めることができる。また、ナット２３を螺進させるだけでその寸法調整を行なえ、調整後に不要となる無駄な部材がなく、このためコストを軽減できる。
【００２９】
図３及び図４にはこの発明の第２の実施形態を示してある。図３はロープ伸び調整装置の全体の正面図で、図４は図３中のＢ−Ｂ線に沿う断面図である。この実施形態では、つり合い重り１における重り枠２の下面に一対のブラケット２５が取り付けられている。これらブラケット２５は互いに離間して対向し、その対向する側面には左右及び上下に渡って複数の貫通孔２６が形成されている。上下に並ぶ貫通孔２６はごく短いピッチ間隔で形成されている。
【００３０】
そして、これらブラケット２５間に調整プレート２１がバッファ１２と対向するように止めねじ２７を介して水平に取り付けられている。すなわち、調整プレート２１の両端側の端面にはそれぞれ前記貫通孔２６に対応するねじ孔２８が形成されている。そして調整プレート２１がブラケット２５間に配置され、この状態で左右に並ぶ一対の貫通孔２６からねじ孔２８に向けて止めねじ２７が挿入され、これら止めねじ２７の締め付けにより調整プレート２１が両ブラケット２５に固定され、所定の位置に水平に支持されている。
【００３１】
各ブラケット２５は平面の投影面で見たときにバッファ１２と重ならない位置に配置されている。また、調整プレート２１の初期位置としては、重り枠２の下面から最も大きく離れるブラケット２５の下端部の位置とすることが好ましい。
【００３２】
このような構成において、つり合い重り１が異常落下したときには、調整プレート２１がバッファ１２に衝突する。この衝突でバッファ１２が弾性的に変形してその衝撃が吸収される。調整プレート２１がバッファ１２に衝突する際には、ブラケット２５の下端がそのバッファ１２の上面の位置より下方に突出するが、ブラケット２５とバッファ１２は平面的にその位置がずれているからブラケット２５がバッファ１２と干渉することはない。
一方、経年変化によりロープ４が伸び、カウンタークリアランスａが規定の寸法より小さくなったときには、まず各止めねじ２７を抜き取り、調整プレート２１を最下部の貫通孔２６の上側に配列する貫通孔２６の位置にまで押し上げる。そして、この状態で各ブラケット２５の外側から前記調整プレート２１に対応する位置の貫通孔２６に止めねじ２７を挿入し、これら止めねじ２７の先端部を調整プレート２１のねじ孔２８にねじ込み、かつ締め付けて調整プレート２１を両ブラケット２５に固定し、所定の位置に水平に架設する。これにより、調整プレート２１とバッファ１２との間隔が拡がり、カウンタークリアランスａが所定の寸法の範囲内となる。
【００３３】
このような操作をロープ４に所定以上の伸びが生じるごとに行なう。これにより、調整プレート２１とバッファ１２との間のカウンタークリアランスａをロープ４の伸びに拘わらず、所定の寸法範囲に保つことができる。
【００３４】
調整プレート２１の位置はブラケット２５に形成された貫通孔２６の位置により定まるが、ブラケット２５には複数の貫通孔２６が上下にごく短いピッチ間隔で形成されているから、カウンタークリアランスａの寸法をロープ４の伸びに応じた的確な範囲で微調整することができる。したがって、カウンタークリアランスａを管理する精度を高めることができる。また、止めねじ２７を抜き差しするだけでその寸法調整を行なえ、調整後に不要となる無駄な部材がなく、このためコストを軽減できる。
【００３５】
前記第１及び第２の実施形態では、調整機構の調整プレート２１をつり合い重り１側に設けるようにしたが、図５及び図６に示す第３及び第４の実施形態のようにバッファ１２側に設けることも可能である。
【００３６】
すなわち、図５に示す第３の実施形態では、第１の実施形態の場合とは逆にピット部１０の床面上に一対のボルト２０が垂直に起立するように取り付けられている。図５はつり合い重り１を側面側から見た図であり、ボルト２０はつり合い重り１との干渉を避けるために、つり合い重り１の表裏面の外側となる位置、すなわち平面の投影面で見たときにつり合い重り１と重ならない位置に配置されている。
【００３７】
そしてこれらボルト２０間に第１の実施形態の場合と同様にナット２３を介して調整プレート２１が水平に支持され、ナット２３をボルト２０に沿って螺進退させることにより調整プレート２１を上下方向に移動させることができるようになっている。そしてこの調整プレート２１の上に、つり合い重り１の下面と対向するようにバッファ１２が設置されている。
【００３８】
この実施形態の場合には、つり合い重り１が異常落下したときにつり合い重り１がバッファ１２に直接衝突する。この衝突でバッファ１２が弾性的に変形してその衝撃が吸収される。
【００３９】
一方、経年変化によりつり合い重り１を支持したロープが伸び、つり合い重り１とバッファ１２との間のカウンタークリアランスａが規定の寸法より小さくなったときには、各ナット２３を操作して調整プレート２１と共にバッファ１２をボルト２０に沿ってカウンタークリアランスａが所定の寸法となる位置にまで下降させる。そして、この位置において、ナット２３を締め付けて調整プレート２１を固定する。
【００４０】
このような操作をロープに所定以上の伸びが生じるごとに行なう。これにより、つり合い重り１とバッファ１２との間のカウンタークリアランスａをロープの伸びに拘わらず、所定の寸法範囲に保つことができる。
【００４１】
カウンタークリアランスａの寸法調整は、ボルト２０に螺着されたナット２３を螺進退させる操作で行なうものであるから、ほぼ無段階に微調整することができる。したがって、カウンタークリアランスａを管理する精度を高めることができる。また、ナット２３を螺進退させるだけでその寸法調整を行なえ、調整後に不要となる無駄な部材がなく、このためコストを軽減できる。
【００４２】
図６に示す第４の実施形態では、第２の実施形態の場合とは逆にピット部１０の床面上に一対のブラケット２５が垂直に起立するように取り付けられている。図６はつり合い重り１を側面側から見た図であり、ブラケット２５はつり合い重り１との干渉を避けるために、つり合い重り１の表裏面の外側となる位置、すなわち平面の投影面で見たときにつり合い重り１と重ならない位置に配置されている。
【００４３】
ブラケット２５には、第２の実施形態の場合と同様に、左右及び上下に渡って複数の貫通孔２６が形成されている。上下に並ぶ貫通孔２６はごく短いピッチ間隔で形成されている。そしてブラケット２５間に調整プレート２１が配置され、この調整プレート２１が貫通孔２６に挿入された止めねじ２７を介して水平に支持され、その止めねじ２７の位置を変えることにより調整プレート２１を上下方向に変位させることができるようになっている。そしてこの調整プレート２１の上に、つり合い重り１の下面と対向するようにバッファ１２が設置されている。
【００４４】
この実施形態の場合には、つり合い重り１が異常落下したときにつり合い重り１がバッファ１２に直接衝突する。この衝突でバッファ１２が弾性的に変形してその衝撃が吸収される。
【００４５】
一方、経年変化によりつり合い重り１を支持したロープが伸び、つり合い重り１とバッファ１２との間のカウンタークリアランスａが規定の寸法より小さくなったときには、各止めねじ２７を抜き取り、調整プレート２１をカウンタークリアランスａが所定の寸法となる位置にまで下降させる。そして、この位置において、止めねじ２７を調整プレート２１が配置する位置の貫通孔２６に差し込み、かつ締め付けて調整プレート２１を固定する。
【００４６】
このような操作をロープに所定以上の伸びが生じるごとに行なう。これにより、つり合い重り１とバッファ１２との間のカウンタークリアランスａをロープの伸びに拘わらず、所定の寸法範囲に保つことができる。
【００４７】
バッファ１２の位置つまり調整プレート２１の位置はブラケット２５に形成された貫通孔２６の位置により定まるが、ブラケット２５には複数の貫通孔２６が上下にごく短いピッチ間隔で形成されているから、カウンタークリアランスａの寸法をロープ４の伸びに応じた的確な範囲で微調整することができる。したがって、カウンタークリアランスａを管理する精度を高めることができる。また、止めねじ２７を抜き差しするだけでその寸法調整を行なえ、調整後に不要となる無駄な部材がなく、このためコストを軽減できる。
【図面の簡単な説明】
【００４８】
【図１】この発明の第１の実施形態に係るロープ伸び調整装置の構成を示す正面図。
【図２】図１中のＡ−Ａ線に沿う断面図。
【図３】この発明の第２の実施形態に係るロープ伸び調整装置の構成を示す正面図。
【図４】図３中のＢ−Ｂ線に沿う断面図。
【図５】この発明の第３の実施形態に係るロープ伸び調整装置の構成を示す側面図。
【図６】この発明の第４の実施形態に係るロープ伸び調整装置の構成を示す側面図。
【図７】従来のロープ伸び調整装置の構成を示す正面図。
【符号の説明】
【００４９】
１…つり合い重り
４…ロープ
５…昇降路
６…ガイドレール
１０…ピット部
２０…ボルト
２１…調整プレート
２２…貫通孔
２３…ナット
２５…ブラケット
２６…貫通孔
２８…ねじ孔
ａ…カウンタークリアランス
【図１】
2008044723.tif 000003
【図２】
2008044723.tif 000004
【図３】
2008044723.tif 000005
【図４】
2008044723.tif 000006
【図５】
2008044723.tif 000007
【図６】
2008044723.tif 000008
【図７】
2008044723.tif 000009